(57)【要約】【課題】必要な関節保護機能を有し且つより簡単に関節部位に適用することが可能な関節保護テープの提供を目的とする。【解決手段】一実施形態に係る関節保護テープは、粘着面を有するＸ字状のテープ本体を備える。テープ本体の中央部には中央孔が形成され、中央部から外に延びるテープ本体の各アーム部には周囲孔が形成される。【選択図】図１
0003178703.tif 000002
【実用新案登録請求の範囲】
【請求項１】
粘着面を有するＸ字状のテープ本体を備え、
前記テープ本体の中央部に中央孔が形成され、
前記中央部から外に延びる前記テープ本体の各アーム部に周囲孔が形成された、
関節保護テープ。
【請求項２】
前記テープ本体が、前記中央孔を挟むように設けられた一対の８字状の領域を有し、
前記８字状の領域のそれぞれが、二つの前記周囲孔を用いて形成された、
請求項１に記載の関節保護テープ。
【請求項３】
各アーム部がＶ字状である、
請求項１又は２に記載の関節保護テープ。
【請求項４】
前記周囲孔が、前記アーム部の先端に向かって窄む三角形状を成している、
請求項１〜３のいずれか一項に記載の関節保護テープ。
【請求項５】
前記テープ本体の第１の外縁と、該第１の外縁と対向する第２の外縁とのそれぞれが、前記中央孔に向かって曲がる弧を含む、
請求項１〜４のいずれか一項に記載の関節保護テープ。
【請求項６】
前記粘着面を保護するシートを更に備え、
前記シートが、前記中央部と前記アーム部との境界付近に形成された切れ目を有する、
請求項１〜５のいずれか一項に記載の関節保護テープ。
【請求項７】
前記境界付近に形成された切れ目の一端が前記周囲孔の縁部に接続する、
請求項６に記載の関節保護テープ。
【請求項８】
前記シートが、前記テープ本体の中心線に沿って形成された切れ目を更に有する、
請求項６又は７に記載の関節保護テープ。
【請求項９】
前記シートが、前記アーム部の端部付近に形成された切れ目を更に有する、
請求項６〜８のいずれか一項に記載の関節保護テープ。
【請求項１０】
前記シートに、各切れ目に沿って線が印刷された、
請求項６〜９のいずれか一項に記載の関節保護テープ。
【考案の詳細な説明】
【技術分野】
【０００１】
本考案の一形態は、関節保護テープに関する。
【背景技術】
【０００２】
従来から、関節を保護するためのテープが知られている。例えば下記特許文献１には、本体アンカーリング部及び当該本体アンカーリング部から外側に向かって延びる複数のフィンガー部を備えて１枚のシートにカットされた伸縮可能な片面粘着テープブランクからなる粘着式サポート体が記載されている。
【先行技術文献】
【特許文献】
【０００３】
【特許文献１】特表２０１０−５１８８９５号公報
【考案の概要】
【考案が解決しようとする課題】
【０００４】
一巻きのテープを切り取りながら適用部位に貼っていく従来の手法は高度な専門知識を要するが、上記の粘着式サポート体を用いれば使用者は比較的簡単にテーピングを行うことができる。しかし、この粘着式サポート体を用いる場合には、使用者はそれとは別のランドマーク体を更に用いなければならなかったり、同じ印同士の位置を合わせるようにフィンガー部を身体に貼ったりする必要がある。
【０００５】
そこで、必要な関節保護機能を有し且つより簡単に関節部位に適用することが可能な関節保護テープが要請されている。
【課題を解決するための手段】
【０００６】
本考案の一形態に係る関節保護テープは、粘着面を有するＸ字状のテープ本体を備え、テープ本体の中央部に中央孔が形成され、中央部から外に延びるテープ本体の各アーム部に周囲孔が形成されている。
【０００７】
このような形態によれば、全体をＸ字状に形成すると共に、中央孔及び複数の周囲孔を形成することで、専門知識を有する者が行うテーピングの態様に近いテープ形状が得られる。したがって、使用者はその形状を成す関節保護テープをそのまま自身又は他人の関節部位に貼り付けるだけでテーピングを完了することができる。すなわち、この関節保護テープは、必要な関節保護機能を有し且つより簡単に関節部位に適用可能である。
【０００８】
さらに別の形態に係る関節保護テープでは、テープ本体が、中央孔を挟むように設けられた一対の８字状の領域を有し、８字状の領域のそれぞれが、二つの周囲孔を用いて形成されてもよい。
【０００９】
さらに別の形態に係る関節保護テープでは、各アーム部がＶ字状であってもよい。
【００１０】
さらに別の形態に係る関節保護テープでは、周囲孔が、アーム部の先端に向かって窄む三角形状を成してもよい。
【００１１】
さらに別の形態に係る関節保護テープでは、テープ本体の第１の外縁と、該第１の外縁と対向する第２の外縁とのそれぞれが、中央孔に向かって曲がる弧を含んでもよい。
【００１２】
さらに別の形態に係る関節保護テープでは、粘着面を保護するシートを更に備えてもよい。
【００１３】
シートが、中央部とアーム部との境界付近に形成された切れ目を有してもよい。
【００１４】
さらに別の形態に係る関節保護テープでは、境界付近に形成された切れ目の一端が周囲孔の縁部に接続してもよい。
【００１５】
さらに別の形態に係る関節保護テープでは、シートが、テープ本体の中心線に沿って形成された切れ目を更に有してもよい。
【００１６】
さらに別の形態に係る関節保護テープでは、シートが、アーム部の端部付近に形成された切れ目を更に有してもよい。
【００１７】
別の形態に係る関節保護テープでは、シートに、各切れ目に沿って線が印刷されてもよい。
【考案の効果】
【００１８】
本考案の一側面によれば、必要な関節保護機能を有し且つより簡単に関節部位に適用することが可能な関節保護テープを提供することができる。
【図面の簡単な説明】
【００１９】
【図１】実施形態に係る関節保護テープの斜視図である。
【図２】図１に示す関節保護テープの正面図である。
【図３】図１に示す関節保護テープの背面図である。
【図４】図１に示す関節保護テープの平面図である。
【図５】図１に示す関節保護テープの底面図である。
【図６】図１に示す関節保護テープの左側面図である。
【図７】図１に示す関節保護テープの右側面図である。
【図８】図２のＡ−Ａ線端面図である。
【図９】図２のＢ−Ｂ線端面図である。
【図１０】図１に示す関節保護テープの形状を説明するための参考図である。
【図１１】図１に示す関節保護テープの形状を説明するための参考図である。
【図１２】図１に示す関節保護テープの形状を説明するための参考図である。
【図１３】切れ目上に太線が印刷された状態を示す関節保護テープの背面図である。
【図１４】切れ目上の太線と折り目とを示す関節保護テープの背面図である。
【図１５】図１に示す関節保護テープが関節部位に貼られた状態を示す図である。
【考案を実施するための形態】
【００２０】
以下、添付図面を参照しながら本考案の実施形態を詳細に説明する。なお、図面の説明において同一又は同等の要素には同一の符号を付し、重複する説明を省略する。
【００２１】
まず、図１〜１４を参照しながら、実施形態に係る関節保護テープ１０の構成を説明する。図１は関節保護テープ１０の斜視図である。図２〜７は関節保護テープ１０の六面図である。図８，９はそれぞれ、図２のＡ−Ａ線端面図、及びＢ−Ｂ線端面図である。背面図については、剥離紙の切れ目のみを示す図３に加えて、その切れ目に沿って太線が印刷された態様を示す図１３と、その太線に加えて更に折り目を追記した図１４とを示す。図１０〜１２は関節保護テープ１０の形状を説明するための参考図である。
【００２２】
本明細書では、正面図（図２）において、浅い弧１１を有する外縁がある方を関節保護テープ１０の上部（貼付時における太腿側の部分）と定義し、深い弧１２を有する外縁がある方を当該テープ１０の下部（貼付時における脛側の部分）と定義する。
【００２３】
関節保護テープ１０は、人の膝関節を保護するためのテープであり、具体的には、けがの予防や関節運動の補助などを目的に用いられる。図４〜９に示すように、関節保護テープ１０はテープ本体２０及び剥離紙３０による二層構造を成している。
【００２４】
テープ本体２０は、樹脂含浸処理が施された織布の片面に粘着剤が塗布されることで形成される。例えば、綿とウレタンとの混紡により作製された織布にパラフィン系の樹脂を含浸させ、当該織布の片面にアクリル系、シリコン系、又はゴム系の粘着剤を塗布することでテープ本体２０を作製することができる。もっとも、テープ本体２０を構成する織布、樹脂、及び粘着剤はこれらに限定されず、それぞれにおいて任意の材料を用いてよい。テープ本体２０は、横方向（貼付時における膝の幅方向）に沿って伸びやすく縦方向（貼付時における膝の上下方向）に沿って伸びにくいように加工される。
【００２５】
剥離紙３０は、テープ本体２０の粘着面を保護するために当該粘着面上に貼られるシートであり、この剥離紙３０にはシリコン処理が施されている。なお、粘着面を保護するために別の部材を用いてもよく、例えば剥離処理されたフィルムを剥離紙３０に代えて採用してもよい。
【００２６】
テープ本体２０と剥離紙３０とは全体の形状が同じであるので、以下ではテープ本体２０の形状について説明する。テープ本体２０は全体としてＸ字状を成している。より具体的には、テープ本体２０は、使用時に膝頭及びその周囲を覆う中央部２１と、その中央部２１から斜め４方向に外側に延びる４個のアーム部２２とを備えている。図１０に示すように、中央部２１の形状を六角形（二点鎖線参照）として見た場合には、アーム部２２は、その六角形の第１の辺２３ａと、当該第１の辺２３ａと接続する第２の辺２３ｂと、当該第１の辺２３ａの対辺である第３の辺２３ｃと、当該第２の辺２３ｂの対辺である第４の辺２３ｄとのそれぞれから延びているということができる。中央部２１から延びた各アーム部２２は、途中で水平方向に沿って外側に屈曲している。したがって、各アーム部２２はＶ字状であるということができる。
【００２７】
テープ本体２０の略中央（または中央部２１の略中心付近）には、膝頭を露出するための楕円形の中央孔２４が形成されており、上記二つの弧１１，１２はいずれも、この中央孔２４に向かって曲がっている。各アーム部２２の根元付近には、当該アーム部２２の先端に向かって窄む三角形状の周囲孔２５が形成されている。このようにテープ本体２０に中央孔２４及び４個の周囲孔２５が形成されることで、図１１に示すように、テープ本体２０は、中央孔２４を左右から挟む一対の８字状の領域８１を有する。この領域８１は、中央部２１と、アーム部２２の根元部分（根元から屈曲箇所までの部分）とから成る領域であるといえる。８字状の領域８１のそれぞれは二つの周囲孔２５を用いて形成されるともいうことができる。
【００２８】
上述したテープ本体２０の形状は膝関節の保護を考慮して決められたものである。一巻きのテープを用いて膝関節を保護する場合には、図１２に示すように、一対の膝蓋骨サポートテープ９１と、二つのＸサポートテープ９２と、一対のアンカーテープ９３とを用いる。個々の膝蓋骨サポートテープ９１は、一端が二股に割かれることで形成された被分割部分が膝頭の周囲を囲むように貼られる。一方の膝蓋骨サポートテープ９１は上方（太腿側）から貼られ、他方の膝蓋骨サポートテープ９１は下方（脛側）から貼られる。個々のＸサポートテープ９２は、Ｘ字状に貼られる二つのテープのセットであり、二つのＸサポートテープ９２は一対の膝蓋骨サポートテープ９１を左右から挟むように貼られる。一対のアンカーテープ９３は、これら二種類のテープ９１，９２を上下から挟むように、水平方向（脚の周方向）に貼られる。
【００２９】
テープ本体２０は、図１２に示すように、このような３種類のテープ９１〜９３の貼付パターンに似せて定められている。テープ本体２０の個々の領域（すなわち、中央部２１，アーム部２２、中央孔２４、周囲孔２５、及び８字状の領域８１）の形状は、それらのテープ９１〜９３の貼付パターンに似せてテープ本体２０を設計した一つの結果である。
【００３０】
次に剥離紙３０について説明する。上述したように剥離紙３０の全体形状はテープ本体２０と同じであるが、この剥離紙３０には、使用者の剥離作業を容易にするためにいくつかの切れ目及び折り目が形成される。
【００３１】
図３に示すように、水平方向に沿った剥離紙３０の中心線上には第１の切れ目４１が形成される。また、各アーム部２２について、当該アーム部２２と中央部２１との境界に略沿って第２の切れ目４２が形成される。第２の切れ目４２の一端は周囲孔２５の縁部に接続する。さらに、各アーム部２２の先端付近に第３の切れ目４３が形成される。これらの切れ目４１〜４３によって剥離紙３０はいくつかに分けられる。具体的には、剥離紙３０は、第１及び第２の切れ目４１，４２により区画された二つの中央保護部３１と、第２及び第３の切れ目４２，４３により区画された四つのアーム保護部３２と、第３の切れ目４３により区画された四つの先端保護部３３とに分けられる。
【００３２】
図１３，１４に示すように、剥離紙３０には各切れ目に沿って太線５０が印刷されているので、使用者は切れ目の位置を簡単に知ることができる。図１４に示すように、第３の切れ目４３の内側には、当該切れ目４３に並行する折り目４４が形成される。
【００３３】
上述した関節保護テープ１０は、加工された織布の接着面の全体に剥離紙を貼り付けて一枚のシートを作製し、続いて、図１３に示す太線などをその剥離紙に印刷し、続いてそのシートをダイカット（ｄｉｅ  ｃｕｔ）することで作製される。各切れ目４１〜４３はその裁断時にキスカット（ｋｉｓｓ  ｃｕｔ）により形成され、折り目４４はその裁断時に刃の押し当てにより形成される。
【００３４】
次に、関節保護テープ１０が貼られた状態を示す図１５を更に用いて、その使用方法を説明する。使用者は剥離紙３０を部分的に剥がしてテープ本体２０の接着面の一部を露出させ、その露出部分を適用部分に貼っていく。一例として、使用者はまず二つの中央保護部３１のうち一方を剥がし、膝頭を中央孔２４に合わせた上で露出部分を皮膚に貼る。続いて、使用者はもう一方の中央保護部３１を剥がして露出部分を皮膚に貼る。続いて、使用者は一つのアーム保護部３２を剥がし、接着面が露出したアーム部２２を先端保護部３３を持って引っ張りながら（例えば数センチ引っ張りながら）その露出部分を皮膚に貼り、最後にその先端保護部３３を剥がして露出部分を皮膚に貼る。使用者はこのようなアーム部２２の貼付を４回繰り返し、これにより、図１５に示すように関節保護テープ１０が使用者の膝関節に適用される。
【００３５】
第３の切れ目４３の内側には折り目４４が付いているので、使用者はアーム部２２を皮膚に貼り付ける際にアーム保護部３２をより簡単に剥がすことができる。アーム部２２はＶ字状であるから、貼り付け時に引っ張られた部分とは異なる方向に沿って先端部が皮膚に貼り付けられ、したがって、その先端部が剥がれにくくなる。
【００３６】
加えて、図２に示す弧（凹み）１１，１２がテープ本体２０の上下の外縁に形成されていることで、貼付時に当該テープ本体２０に皺が発生するのを抑えることができる。
【００３７】
以上説明したように、本実施形態によれば、全体をＸ字状に形成すると共に、中央孔２４及び複数の周囲孔２５を形成することで、専門知識を有する者が一巻きのテープを用いて行うテーピングの態様に近いテープ形状が得られる。このような関節保護テープ１０の保護機能は図１１，１２を用いて上述した通りである。
【００３８】
加えて、使用者はその関節保護テープ１０を自身又は他人の関節部位にそのまま貼り付けるだけでテーピングを完了することができる。したがって、この関節保護テープ１０は、別のランドマーク体を用いたり、同じ印同士の位置を合わせるようにフィンガー部を身体に貼ったりする必要がある上記特許文献１の粘着式サポート体よりも簡単に取り扱うことができる。
【００３９】
このように、関節保護テープ１０は、必要な関節保護機能を有し且つより簡単に関節部位に適用可能である。
【００４０】
以上、本考案をその実施形態に基づいて詳細に説明した。しかし、本考案は上記実施形態に限定されるものではない。本考案は、その要旨を逸脱しない範囲で以下のような様々な変形が可能である。
【００４１】
関節保護テープの形状は上記実施形態に限定されない。例えば、テープ本体の上縁及び下縁は、弧を有さず直線状であってもよい。各アーム部はＶ字状でなく直線状であってもよい。中央孔の形状は楕円に限定されず、正円であっても任意の多角形であってもよい。周囲孔の形状も限定されず、任意の円又は多角形であってもよい。
【００４２】
剥離紙３０等の保護シートは切れ目及び折り目の一方又は双方を有さなくてもよい。切れ目を設ける場合には、上記実施形態における３種類の切れ目４１〜４３のうちの任意の１種類のみ又は２種類のみを設けてもよい。各切れ目の形状も任意であり、例えば切れ目４１，４３が曲線を含んでいたり、切れ目４２が直線であったりしてもよい。また、折り目の位置及び形状も、上記実施形態に限定されず任意に定めてよい。
【符号の説明】
【００４３】
１０…関節保護テープ、１１，１２…弧、２０…テープ本体、２１…中央部、２２…アーム部、２４…中央孔、２５…周囲孔、３０…剥離紙（シート）、３１…中央保護部、３２…アーム保護部、３３…先端保護部、４１，４２，４３…切れ目、４４…折り目、５０…太線、８１…８字状の領域。
【図１】
0003178703.tif 000003
【図２】
0003178703.tif 000004
【図３】
0003178703.tif 000005
【図４】
0003178703.tif 000006
【図５】
0003178703.tif 000007
【図６】
0003178703.tif 000008
【図７】
0003178703.tif 000009
【図８】
0003178703.tif 000010
【図９】
0003178703.tif 000011
【図１０】
0003178703.tif 000012
【図１１】
0003178703.tif 000013
【図１２】
0003178703.tif 000014
【図１５】
0003178703.tif 000015
【図１３】
0003178703.tif 000016
【図１４】
0003178703.tif 000017